(57)【要約】【課題】  従来、カバンやケース等の中に収納された状態で不用意に電源スイッチが押され続けると、撮像装置に電力が供給され続けて、電池が消耗してしまう。【解決手段】  ＣＰＵ２１によって５ヶ所以上の同時操作入力がタッチパネル１２に検出され、Ｓ６の判別が“ＹＥＳ”の場合には、Ｓ７で電源ＯＦＦ処理が行われ、電源ボタン６が操作されても撮像部２５の撮像動作に必要な電力を供給させない制御がＣＰＵ２１によって行われる。このため、デジタルカメラ１がカバン等の中に収納された状態で不用意に電源ボタン６が操作されても、ＣＰＵ２１によって５ヶ所以上の同時操作入力がタッチパネル１２に検出された場合には、デジタルカメラ１がカバン等の中に収納された状態でタッチパネル１２がカバン等に接触しており、何らかの物によって電源ボタン６が操作されたと判断され、撮像部２５の撮像動作に必要な電力が供給されない。【選択図】  図６
2011135410.tif 000002
【特許請求の範囲】
【請求項１】
被写体像を撮像する撮像部と、
所定の装置機能を実行させる操作部と、
操作されると前記撮像部の撮像動作に必要な電力を供給させる電源ボタンと、
前記操作部からの複数の同時操作入力を検出する操作入力検出部と、
前記操作入力検出部によって複数の同時操作入力が検出された場合には、前記電源ボタンが操作されても前記撮像部の撮像動作に必要な電力を供給させない制御を行う電力供給制御部と
を備える撮像装置。
【請求項２】
請求項１に記載の撮像装置において、
沈胴位置から突出位置へ移動自在に構成されて前記撮像部へ被写体光を導くレンズ鏡筒と、
前記電源ボタンが操作された際に前記操作入力検出部によって複数の同時操作入力が検出されていない場合、前記レンズ鏡筒を沈胴位置から所定の突出位置へ駆動するレンズ鏡筒駆動部と
を備える撮像装置。
【請求項３】
請求項１または請求項２に記載の撮像装置において、
前記撮像部によって撮像される被写体像を表示する画像表示部と、
前記画像表示部の表示面に配置されて、使用者が触れると所定の機能を実行させるタッチパネルとを備え、
前記電力供給制御部は、前記電源ボタンが操作された際に前記操作入力検出部によって前記タッチパネルから複数の同時操作入力が検出されると、前記撮像部の撮像動作に必要な電力を供給させない制御を行うことを特徴とする撮像装置。
【請求項４】
請求項１から請求項３のいずれか１項に記載の撮像装置において、
前記操作入力検出部によって操作が検出される前記操作部は、前記電源ボタンと異なる筐体側面に配置されていることを特徴とする撮像装置。
【発明の詳細な説明】
【技術分野】
【０００１】
本発明は、電源ボタンが操作されると撮像部の撮像動作に必要な電力を供給させる撮像装置に関する。
【背景技術】
【０００２】
従来、この種の撮像装置としては、例えば、特許文献１に開示されたデジタルカメラがある。このデジタルカメラでは、電源スイッチの押下が検知されると、起動管理ブロックがＣＰＵへの電源供給を開始する。その後、長押しと判定する所定の時間が経過すると、起動管理ブロックは電源スイッチの押下を再び確認する。この際、電源スイッチが押されていなかった場合、起動管理ブロックはＣＰＵへの電源供給を停止させる。従って、このデジタルカメラでは、電源スイッチの押下が２回確認され、２回目で押下されていなかった場合、ＣＰＵの起動が中断されることにより、電源スイッチの誤操作や押下の誤検出が防止される。
【先行技術文献】
【特許文献】
【０００３】
【特許文献１】特開２００９−１７７６１２号公報
【発明の概要】
【発明が解決しようとする課題】
【０００４】
しかしながら、上記従来のデジタルカメラのような撮像装置では、カバンやケース等の中に収納された状態で不用意に電源スイッチが押され続けると、２回目の確認で押下が検出されるため、撮像装置に電力が供給され続けて、電池が消耗してしまう。また、電源スイッチが押されることで行われるレンズ鏡筒の繰り出し動作がカバンやケース等に妨げられ、また、繰り出したレンズ鏡筒がカバンやケース等に衝突して、レンズ鏡筒に不具合が生じてしまう。
【課題を解決するための手段】
【０００５】
本発明はこのような課題を解決するためになされたもので、
被写体像を撮像する撮像部と、
所定の装置機能を実行させる操作部と、
操作されると撮像部の撮像動作に必要な電力を供給させる電源ボタンと、
操作部からの複数の同時操作入力を検出する操作入力検出部と、
操作入力検出部によって複数の同時操作入力が検出された場合には、電源ボタンが操作されても撮像部の撮像動作に必要な電力を供給させない制御を行う電力供給制御部と
を備えて、撮像装置を構成した。
【０００６】
本構成によれば、操作入力検出部によって複数の同時操作入力が検出された場合には、使用者が電源ボタンを操作する際、通常、操作部に複数の同時操作入力をすることはないため、電源ボタンが操作されても撮像部の撮像動作に必要な電力を供給させない制御が電力供給制御部によって行われる。このため、撮像装置がカバンやケース等の中に収納された状態で不用意に電源ボタンが操作されても、操作入力検出部によって複数の同時操作入力が検出された場合には、撮像装置がカバンやケース等の中に収納された状態でその操作部がカバンやケース等に接触しており、何らかの物によって電源ボタンが操作されたと判断され、電力供給制御部によって撮像部の撮像動作に必要な電力が供給されない。この結果、不用意に電源ボタンが操作されて撮像部の撮像動作に必要な電力が供給された状態が継続して、撮像装置の電池が消耗してしまうことが防止される。
【０００７】
また、本発明は、
沈胴位置から突出位置へ移動自在に構成されて撮像部へ被写体光を導くレンズ鏡筒と、
電源ボタンが操作された際に操作入力検出部によって複数の同時操作入力が検出されていない場合、レンズ鏡筒を沈胴位置から所定の突出位置へ駆動するレンズ鏡筒駆動部と
を備えて、撮像装置を構成した。
【０００８】
本構成によれば、電源ボタンが操作された際に操作入力検出部によって複数の同時操作入力が検出されていない場合、レンズ鏡筒駆動部によってレンズ鏡筒が沈胴位置から所定の突出位置へ駆動される。このため、撮像装置がカバンやケース等の中に収納された状態で不用意に電源ボタンが操作されても、操作入力検出部によって複数の同時操作入力が検出された場合には、撮像装置がカバンやケース等の中に収納された状態でその操作部がカバンやケース等に接触しており、何らかの物によって電源ボタンが操作されたと判断され、レンズ鏡筒は沈胴位置から所定の突出位置へ駆動されない。この結果、不用意に電源ボタンが操作されて、レンズ鏡筒の繰り出し動作がカバンやケース等に妨げられ、また、繰り出したレンズ鏡筒がカバンやケース等に衝突して、レンズ鏡筒に不具合が生じてしまうことが防止される。
【０００９】
また、本発明は、
撮像部によって撮像される被写体像を表示する画像表示部と、
画像表示部の表示面に配置されて、使用者が触れると所定の機能を実行させるタッチパネルとを備え、
電力供給制御部が、電源ボタンが操作された際に操作入力検出部によってタッチパネルから複数の同時操作入力が検出されると、撮像部の撮像動作に必要な電力を供給させない制御を行うことを特徴とする。
【００１０】
本構成によれば、電源ボタンが操作された際に操作入力検出部によってタッチパネルから複数の同時操作入力が検出される場合、撮像部の撮像動作に必要な電力を供給させない制御が電力供給制御部によって行われる。このため、撮像装置がカバンやケース等の中に収納された状態で不用意に電源ボタンが操作されても、操作入力検出部によってタッチパネルから複数の同時操作入力が検出されると、撮像装置がカバンやケース等の中に収納された状態でタッチパネルがカバンやケース等に接触しており、何らかの物によって電源ボタンが操作されたと判断され、撮像部の撮像動作に必要な電力が供給されない。
【００１１】
また、本発明は、
操作入力検出部によって操作が検出される操作部が、電源ボタンと異なる筐体側面に配置されていることを特徴とする。
【００１２】
本構成によれば、  電源ボタンと異なる筐体側面に操作部が配置されていることにより、カバンやケース等と筐体側面との間で隙間のない状態に撮像装置が収納されることで、操作部が接触して操作されやすくなり、撮影装置がカバンやケース等の中に収納されていることを容易に識別できる。
【発明の効果】
【００１３】
本発明による撮像装置によれば、上記のように、不用意に電源ボタンが操作されて撮像部の撮像動作に必要な電力が供給された状態が継続して、撮像装置の電池が消耗してしまうことが防止される。
【図面の簡単な説明】
【００１４】
【図１】本発明の一実施の形態によるデジタルカメラの外観の概略を示す正面斜視図である。
【図２】図１に示すデジタルカメラの外観の概略を示す背面斜視図である。
【図３】図１に示すデジタルカメラの電気回路構成の概略を示すブロック図である。
【図４】図１に示すデジタルカメラの電源構成の概略を示すブロック図である。
【図５】図１に示すデジタルカメラの、情報取得ポイントが設けられたモニタを示す図である。
【図６】図１に示すデジタルカメラのＣＰＵによって行われる電源起動処理の概略を示すフローチャートである。
【発明を実施するための形態】
【００１５】
次に、本発明による撮像装置をデジタルカメラに適用した場合における、本発明を実施するための一形態について説明する。
【００１６】
図１は、この一実施の形態によるデジタルカメラ１の外観の概略を示す正面斜視図である。
【００１７】
デジタルカメラ１は、筐体を構成するカメラボディ２と、このカメラボディ２の前面に設けられた撮影用のレンズ３とから構成される。同図（ａ）に示すデジタルカメラ１はレンズ３が沈胴位置、同図（ｂ）に示すデジタルカメラ１はレンズ３が突出位置にある。カメラボディ２の正面から見て左側には、撮影時に撮影者によって握られるグリップ部４が設けられている。このグリップ部４の上面には、撮影用のシャッターボタンであるレリーズボタン５が設けられている。このレリーズボタン５の右方のカメラボディ２の上面には、操作されるとデジタルカメラ１の内部の各回路に動作電源を供給させる電源ボタン６が設けられている。また、カメラボディ２の正面から見て右上側には、被写体が暗い場合に明るさを確保するためのフラッシュ７が備えられている。
【００１８】
図２は、デジタルカメラ１の外観の概略を示す背面斜視図である。なお、同図において図１と同一部分には同一符号を付してその説明は省略する。
【００１９】
カメラボディ２の背面にはモニタ１１が設けられている。モニタ１１は、ＴＦＴ（Thin Film Transistor）液晶などからなり、構図を確認するためのスルー画や、撮影情報などの各種情報を表示すると共に、撮影した画像を再生表示する。タッチパネル１２は、モニタ１１の表示面に配置されて、使用者が触れると所定の機能を実行させる。使用者によるモニタ１１に対するタッチ操作は、タッチパネル１２により検出される。
【００２０】
モニタ１１の右側には、ズームボタン１３および十字ボタン１４が配置されている。ズームボタン１３は、モニタ１１に表示される撮影画像を拡大、縮小表示させる際などに操作される。十字ボタン１４は、上下方向および左右方向といった操作方向を検出する方向キーからなり、デジタルカメラ１の各種設定を行うメニュー画面において、種々の設定項目の中から所望の設定項目を選択する際などに操作される。十字ボタン１４の中央には決定ボタン１５が設けられている。決定ボタン１５は、十字ボタン１４の操作によって選択された所望の設定項目を決定する際などに操作される。また、これらのボタンは、モニタ１１に表示されているメニュー画面などにおいて、モニタ１１のタッチパネル操作で代用することもできる。レリーズボタン５、電源ボタン６、タッチパネル１２、ズームボタン１３、十字ボタン１４、および決定ボタン１５等は、所定の装置機能を実行させる操作部を構成する。
【００２１】
図３は、デジタルカメラ１の電気回路構成の概略を示すブロック図である。
【００２２】
デジタルカメラ１は、ＣＰＵ（Central Processing Unit）２１、ＥＥＰＲＯＭ（Electrically Erasable Programmable Ｒead Ｏnly Ｍemory）などで構成される不揮発性メモリ２２、およびＲＡＭ（Random Access Memory）などで構成されるバッファメモリ２３を備えている。不揮発性メモリ２２には、ＣＰＵ２１が種々の制御を行う際に参照される制御プログラムなどが格納されている。ＣＰＵ２１は、不揮発性メモリ２２に格納されている制御プログラムに従い、バッファメモリ２３を一時記憶作業領域として回路各部の制御を行い、デジタルカメラ１の種々の装置機能を作動させる。
【００２３】
被写体からの光は、光学系を構成するレンズ３を介してデジタルカメラ１内に取り込まれる。なお、レンズ３は、ズームレンズやフォーカスレンズを含む複数のレンズ群で構成されており、同図では１枚のレンズとして図示されている。デジタルカメラ１内に取り込まれた被写体光は、レンズ３の光軸上に配置された撮像部２５の撮像面２５ａ上に被写体像を投影する。レンズ３は、沈胴位置から突出位置へ移動自在に構成されて、撮像部２５へ被写体光を導くレンズ鏡筒を構成する。撮像面２５ａには受光素子が２次元配列されている。撮像部２５は、ＣＣＤ（Charge Coupled Device）やＣＭＯＳ（Complementary Metal Oxide Semiconductor）などからなり、撮像部２５の撮像面２５ａ上に結像した被写体像を撮像し、アナログの撮像信号に変換する。撮像信号は、ＡＦＥ（アナログフロントエンド）回路２６によりゲイン調整が行われ、デジタル信号に変換される。
【００２４】
画像処理部２７は、ＡＦＥ回路２６でデジタル信号に変換された撮像信号を取得し、取得した撮像信号に対して、色補間処理、輪郭強調処理、ホワイトバランス処理などの画像処理を行い、撮影された画像の画像データを生成する。画像処理部２７によって生成された画像データは、圧縮処理が施されてバス２８を介してバッファメモリ２３に一時格納されると共に、モニタ１１にスルー画として表示される。モニタ１１は、撮像部２５によって撮像される被写体像を表示する画像表示部を構成する。また、モニタ１１の表示領域に対して行われるタッチ操作は、ＣＰＵ２１に接続されたタッチパネル１２によって検出される。タッチ操作が検出されると、タッチパネル１２からタッチ操作検出信号が出力され、タッチ操作により入力される情報がＣＰＵ２１に送出される。
【００２５】
ＣＰＵ２１にはレリーズボタン５、電源ボタン６、および鏡筒駆動部３１が接続されている。レリーズボタン５は、半押しされるとオートフォーカス機能を作動させ、鏡筒駆動部３１によりレンズ３を移動させて焦点距離を自動調整し、全押しされると予め設定されたシャッター速度で図示しないシャッターを開かせ、被写体像を撮像部２５の撮像面２５ａに所定時間露光させて、被写体の撮影を行わせる。撮影された画像データは、記録Ｉ／Ｆ部２９を介して、図示しないスロットに着脱される、記憶媒体を構成するメモリカード３０に記録される。また、電源ボタン６が操作されると、ＣＰＵ２１によって、ＤＣ電源回路３３が制御されて、撮像部２５の撮像動作に必要な各電気回路に電池３２の電力が供給される。
【００２６】
図４は、デジタルカメラ１の電源構成の概略を示すブロック図である。なお、同図において図３と同一部分には同一符号を付してその説明は省略する。
【００２７】
ＣＰＵ２１は、非バックアップ部２１ａとバックアップ部２１ｂとから成り、バックアップ部２１ｂには、ボタン電池などのバックアップ電源４１から電力が常に供給されている。バックアップ部２１ｂはこの電力供給を受けて常に動作しており、電源ボタン６が押されたか否かなどを常に監視している。
【００２８】
電源ボタン６が押されると、バックアップ部２１ｂは、ＤＣ電源回路３３のＥＮ１端子にイネーブル信号を送信する。この信号送信により、ＤＣ電源回路３３の各チャンネルＣＨ１、ＣＨ２、ＣＨ３を介して、ＣＰＵ２１の非バックアップ部２１ａ、メモリ４２、デジタルＩ/Ｆ４３に電池３２の電力が供給され、第１Ｂｏｏｔ状態となる。メモリ４２は、不揮発性メモリ２２や、バッファメモリ２３、メモリカード３０などを表している。デジタルＩ/Ｆ４３は、記録Ｉ／Ｆ部２９や、タッチパネル２０のＩ／Ｆ部などを表している。この第１Ｂｏｏｔ状態で、タッチパネル２０のＩ／Ｆ部に電力が供給されると、タッチパネル２０に対するタッチ操作が検出されるようになり、タッチパネル２０上に例えば図５に示すように設けられた９ヶ所の情報取得ポイント５１についての操作入力の検出が可能になる。ただし、第１Ｂｏｏｔ状態では、モニタ１１のＬＣＤバックライト４６に電力が供給されず、点灯していない。ＣＰＵ２１は、操作部を構成するタッチパネル１２における各情報取得ポイント５１からの複数の同時操作入力を検出する操作入力検出部を構成する。操作部を構成するタッチパネル１２は、図２に示すように、デジタルカメラ１の上面にある電源ボタン６と異なるカメラボディ２の筐体側面に配置されている。
【００２９】
電源ボタン６が操作された上述した第１ｂｏｏｔ状態において、タッチパネル１２の複数の所定の情報取得ポイント５１から複数の同時操作入力が検出されない場合、本実施形態では５ヶ所以上の情報取得ポイント５１について同時操作入力が検出されない場合、バックアップ部２１ｂは、ＤＣ電源回路３３のＥＮ２端子にイネーブル信号を送信する。この信号送信により、ＤＣ電源回路３３の各チャンネルＣＨ４、ＣＨ５、ＣＨ６を介して、撮像系４４、鏡筒駆動系４５、ＬＣＤバックライト４６に電池３２の電力が供給され、第２Ｂｏｏｔ状態となって、デジタルカメラ１の撮影機能が作動する。撮像系４４は、撮像部２５、ＡＦＥ回路２６、画像処理部２７などを表している。また、鏡筒駆動系４５は、鏡筒駆動部３１などを表している。ＬＣＤバックライト４６はモニタ１１の背面に設けられてモニタ１１を照明する光源である。各チャンネルＣＨ４、ＣＨ５、ＣＨ６を介して電力が供給されると、鏡筒駆動部３１によりレンズ３が沈胴位置から所定の突出位置へ駆動され、また、モニタ１１が点灯して、デジタルカメラ１を用いた撮影が可能となる。鏡筒駆動部３１は、電源ボタン６が操作された際に操作入力検出部によって複数の同時操作入力が検出されていない場合、レンズ３を沈胴位置から所定の突出位置へ駆動するレンズ鏡筒駆動部を構成する。
【００３０】
一方、電源ボタン６が操作された上述した第１ｂｏｏｔ状態において、操作入力検出部によって５ヶ所以上の情報取得ポイント５１について同時操作入力が検出された場合には、ＣＰＵ２１は、電源ボタン６が操作されても撮像部２５の撮像動作に必要な電力を供給させない制御を行う。ＣＰＵ２１は、電源ボタン６が操作された際に操作入力検出部によってタッチパネル１２における各情報取得ポイント５１から複数の同時操作入力が検出されると、撮像部２５の撮像動作に必要な電力を供給させない制御を行う電力供給制御部を構成する。
【００３１】
図６は、デジタルカメラ１のＣＰＵ２１によって行われる電源起動処理の概略を示すフローチャートである。
【００３２】
同図に示すフローチャートにおいて、ＣＰＵ２１は、ステップ（以下、Ｓと記す）１において、電源ボタン６が押されたか否かを判別する。電源ボタン６が押されず、Ｓ１の判別が“ＮＯ”の場合、ＣＰＵ２１は、電源ボタン６が押されるまで待機状態となる。一方、電源ボタン６が押されて、Ｓ１の判別が“ＹＥＳ”の場合、次に、ＣＰＵ２１は、Ｓ２において、各チャンネルＣＨ１、ＣＨ２、ＣＨ３を介して電池３２から電力を供給する上述した第１ｂｏｏｔ処理を開始し、Ｓ３おいて、ＣＰＵ２１の初期化を行って、第１ｂｏｏｔ処理に対応して予め格納されているプログラムを読み込む。そして、Ｓ４において、読み込んだプログラムに従い、ＤＣ電源回路３３を起動させてＣＰＵ２１の非バックアップ部２１ａ、メモリ４２、デジタルＩ/Ｆ４３に電力を供給する。これにより、第１ｂｏｏｔ処理が完了し、デジタルカメラ１は第１ｂｏｏｔ状態となる。この第１ｂｏｏｔ状態では、タッチパネル１２の入力読み込みＩ/Ｆ機能が有効になる。次に、ＣＰＵ２１は、Ｓ５において、各情報取得ポイント５１についての操作入力を検出する。
【００３３】
ＣＰＵ２１は、Ｓ６において、検出された操作入力がタッチパネル１２上の９ヶ所の情報取得ポイント５１のうちの５ヶ所以上であったか否かを判別する。９ヶ所の情報取得ポイント５１のうちの５ヶ所以上で操作入力があり、Ｓ６の判別が“ＹＥＳ”の場合、ＣＰＵ２１は、カバンの中などで何らかの物によって電源ボタン６が押されたと判断して、Ｓ７において、電池３２からデジタルカメラ１への電力供給を停止する電源ＯＦＦ処理を行う。これは、使用者がデジタルカメラ１の電源ボタン６を押すと同時に、タッチパネル１２上の９ヶ所の情報取得ポイント５１の半数以上を押すことは通常考えにくいからである。この電源ＯＦＦ処理では、ＤＣ電源回路３３のチャンネルＣＨ１、ＣＨ２、ＣＨ３を介する、ＣＰＵ２１の非バックアップ部２１ａ、メモリ４２、デジタルＩ/Ｆ４３への電池３２の電力供給が停止される。
【００３４】
一方、９ヶ所の情報取得ポイント５１のうちの５ヶ所以上で操作入力がなく、Ｓ６の判別が“ＮＯ”の場合、ＣＰＵ２１は、使用者が電源ボタン６を押したと判断して、Ｓ８において、各チャンネルＣＨ４、ＣＨ５、ＣＨ６を介して電池３２から電力を供給する上述した第２ｂｏｏｔ処理を開始し、第２ｂｏｏｔ処理に対応して予め格納されているプログラムを読み込み、読み込んだプログラムに従い、撮像系４４、鏡筒駆動系４５、ＬＣＤバックライト４６に電力を供給する。そして、Ｓ９において、鏡筒駆動系４５を初期化して、鏡筒駆動部３１によりレンズ３を沈胴位置から所定の突出位置へ駆動する。その後、ＣＰＵ２１は、Ｓ１０において、ＬＣＤバックライト４６によって照明されるモニタ１１にスルー画等を表示することで、Ｓ１１において、デジタルカメラ１を撮影可能状態とする。これにより、第２ｂｏｏｔ処理が完了し、デジタルカメラ１は第２ｂｏｏｔ状態となる。
【００３５】
このような本実施形態によるデジタルカメラ１によれば、ＣＰＵ２１によって複数の同時操作入力が検出され、図５、Ｓ６の判別が“ＹＥＳ”の場合には、Ｓ７で電源ＯＦＦ処理が行われ、電源ボタン６が操作されても撮像部２５の撮像動作に必要な電力を供給させない制御がＣＰＵ２１によって行われる。このため、デジタルカメラ１がカバンやケース等の中に収納された状態で不用意に電源ボタン６が操作されても、ＣＰＵ２１によって５ヶ所以上の同時操作入力がタッチパネル１２に検出された場合には、デジタルカメラ１がカバンやケース等の中に収納された状態でタッチパネル１２がカバンやケース等に接触しており、何らかの物によって電源ボタン６が操作されたと判断され、ＣＰＵ２１によって撮像部２５の撮像動作に必要な電力が供給されない。この結果、不用意に電源ボタン６が操作されて撮像部２５の撮像動作に必要な電力が供給された状態が継続して、デジタルカメラ１の電池３２が消耗してしまうことが防止される。
【００３６】
また、本実施形態によるデジタルカメラ１によれば、電源ボタン６が操作された際にＣＰＵ２１によって５ヶ所以上の同時操作入力がタッチパネル１２に検出されず、Ｓ６の判別が“ＮＯ”である場合に、Ｓ９で、鏡筒駆動部３１によってレンズ３が沈胴位置から所定の突出位置へ駆動される。このため、デジタルカメラ１がカバンやケース等の中に収納された状態で不用意に電源ボタン６が押されても、ＣＰＵ２１によって５ヶ所以上の同時操作入力がタッチパネル１２に検出され、Ｓ６の判別が“ＹＥＳ”である場合には、デジタルカメラ１がカバンやケース等の中に収納された状態でタッチパネル１２がカバンやケース等に接触しており、何らかの物によって電源ボタン６が操作されたと判断され、Ｓ９の処理が行われないため、レンズ３は沈胴位置から所定の突出位置へ駆動されない。この結果、不用意に電源ボタン６が押されて、レンズ３の繰り出し動作がカバンやケース等に妨げられ、また、繰り出したレンズ３がカバンやケース等に衝突して、レンズ３に不具合が生じてしまうことが防止される。
【００３７】
また、本実施形態によるデジタルカメラ１によれば、図２に示すように、電源ボタン６と異なるカメラボディ２の筐体側面にタッチパネル１２が配置されていることにより、カバンやケース等とカメラボディ２の筐体側面との間で隙間のない状態にデジタルカメラ１が収納されることで、タッチパネル１２が接触して操作されやすくなり、デジタルカメラ１がカバンやケース等の中に収納されていることを容易に識別できる。
【００３８】
なお、本実施形態では、デジタルカメラ１が、沈胴位置から突出位置へ移動自在な沈胴式のレンズ３を備える構成であったが、デジタルカメラのカメラボディ表面に露出するレンズを覆う閉状態から、レンズをカメラボディ表面に露出させる開状態へ移動自在なバリアを備える、撮影レンズが屈曲式のデジタルカメラであってもよい。このようなカメラにおいても、不用意に電源ボタン６が操作されて撮像部２５の撮像動作に必要な電力が供給された状態が継続して、デジタルカメラ１の電池３２が消耗してしまうことが防止される。
【００３９】
また、本実施形態では、電源ボタン６が押される際、タッチパネル１２上の９ヶ所の情報取得ポイント５１のうちの５ヶ所以上で操作入力があった場合に、何らかの物によって電源ボタン６が押されたと判断して、デジタルカメラ１への電力供給を停止する構成であったが、デジタルカメラ１への電力供給の基準となるタッチパネル１２上の情報取得ポイント５１の操作入力個数は５ヶ所に限らず、例えば、４ヶ所や６ヶ所等の他の値であってもよい。また、この構成において、情報取得ポイント５１が４〜６ヶ所で同時操作入力され、物による操作入力か使用者による操作入力かの判断をつけ難い場合には、所定時間だけ確認画面をモニタ１１に表示するようにしてもよい。確認画面において使用者が使用を続行する選択をした場合には、デジタルカメラ１へ電力を供給し、確認画面において使用者が使用を続行しない選択をした場合には、デジタルカメラ１への電力供給を停止する。また、確認画面を表示した後、所定時間経過しても選択が行われない場合には、何らかの物によって電源ボタン６が押されたと判断して、確認画面の表示を停止して、デジタルカメラ１への電力供給を停止する。また、情報取得ポイント５１が２または３ヶ所の少ない箇所で同時操作入力された場合には、使用者が電源ボタン６を押したと直ちに判断して、デジタルカメラ１へ電力を供給し、情報取得ポイント５１が７〜９ヶ所の多い箇所で同時操作入力された場合には、何らかの物によって電源ボタン６が押されたと直ちに判断して、デジタルカメラ１への電力の供給を停止する構成にしてもよい。
【００４０】
また、本実施形態は、タッチパネル２０上に図５に示すように設けられた９ヶ所の複数の情報取得ポイント５１についての操作入力を検出する構成であったが、タッチパネル２０上の操作入力を検出する情報取得ポイント５１の個数は、９ヶ所に限らず、例えば、５ヶ所や２０ヶ所などであってもよい。
【００４１】
また、本実施形態では、電源ボタン６が押される際、タッチパネル１２に複数の同時操作入力があった場合に、何らかの物によって電源ボタン６が押されたと判断して、デジタルカメラ１への電力供給を停止する構成であったが、電源ボタン６が押される際、十字ボタン１４、 決定ボタン１５、メニューボタン等の操作部について複数箇所で同時に操作入力が検出された場合に、デジタルカメラ１への電力供給を停止する構成であってもよい。この構成によっても本実施形態と同様な作用効果が奏される。
【産業上の利用可能性】
【００４２】
上記実施形態においては、本発明の撮像装置をデジタルカメラに適用した場合について説明したが、ビデオカメラや、携帯電話機等に内蔵されるカメラ等のその他の撮像装置にも適用することが可能である。このような撮像装置に本発明を適用した場合においても、上記実施形態と同様な作用効果が奏される。
【符号の説明】
【００４３】
３…レンズ
５…レリーズボタン
６…電源ボタン
１３…ズームボタン
１４…十字ボタン
１５…決定ボタン
１１…モニタ
１２…タッチパネル
２１…ＣＰＵ
２５…撮像部
３１…鏡筒駆動部
【図１】
2011135410.tif 000003
【図２】
2011135410.tif 000004
【図３】
2011135410.tif 000005
【図４】
2011135410.tif 000006
【図５】
2011135410.tif 000007
【図６】
2011135410.tif 000008